Podtech/llm-jp-corpus-v4-ja_patent huggingface dataset:
(57)【要約】      （修正有）【課題】無理なストレスをかけずに、肩、背中、握力を鍛えることの出来るウエイトトレ−ニング用品を提供する。【解決手段】鉛直方向の鉄パイプ１を斜め上後方に曲げ、さらに水平方向に曲げ、それが左右対象になるように斜め前方に曲げ、さらに鉛直下方向に曲げ下端部に鎖止め２を形成し、鎖止めに鎖３をつなぎ、その鎖に負荷用のバ−ベルプレ−ト４を下げられるようにしたことを特徴とする。【選択図】図１
0003151787.tif 000002
【実用新案登録請求の範囲】
【請求項１】
筋肉を鍛えるために鉄パイプを曲げ、鎖と組み合わせて作ったウエイトトレ−ニング用品。
【考案の詳細な説明】
【技術分野】
【０００１】この考案は、筋肉を鍛えるために鉄パイプを曲げ、鎖と組み合わせて作ったウエイトトレ−ニング用品に関するものである。
【背景技術】
【０００２】従来、筋肉を鍛えるトレ−ニング用品にはバ−ベル、ダンベルがあった。
【考案の開示】
【考案が解決しようとする課題】
【０００３】（イ）バ−ベルやダンベルで肩を鍛えるには、次のような問題点があった。
人の骨格は［図３］のように、立ち姿勢で腕を下げると手のひらが自然と内側を向く。このように手のひらが内側に向いた自然なグリップでウエイトトレ−ニングを実施するのが、関節に無理なストレスをかけないポイントになる。
（ロ）バ−ベルで肩前部を鍛える代表的な種目に、フロントプレス［図４］がある。この種目は手の平を正面に向けて行うため、肩や肘を捻り脇が開いてしまう。この状態でバ−ベルを上げ下げするので、肩関節にストレスがかかりやすく痛めることがあった。
（ハ）バ−ベルで肩後部を鍛える代表的な種目にバックプレス［図５］があるこの種目も肩や肘を捻り、肘が体側よりも後ろにいきやすいので、肩関節が不安定になりストレスがかかりやすく痛めることがあった。
（ニ）ダンベルで肩を鍛える代表的な種目にダンベルプレス［図６］がある。
この種目は手のひらが内側に向き、肩を捻らないでダンベルを上げ下げするので肩に無理なストレスがかかりにくい。ただし、ダンベルはバランスが取りやすい形になっているので、ほとんど主動筋で上げ下げすることが出来る。  この場合の主動筋は三角筋や上腕三頭筋になるが、この筋肉で上げ下げすることが出来るので、体の深部にあるバランスを取ったりする小さな筋肉を鍛える効果は小さい。
（ホ）背中を鍛える代表的な種目に、ベントオ−バ−ロ−［図７］がある。
前傾姿勢で実施するので、腰にストレスがかかりやすく腰を痛めることがあった。本考案は、以上のような問題点を解決するためになされたものである。
【課題を解決するための手段】
【０００４】鉄パイプを［図１］のように曲げ、下部に鎖を取りつけた。
以上の構成よりなるウエイトトレ−ニング用品である。
【考案の効果】
【０００５】（イ）考案は以上のような形状で、これを使って肩前部を鍛えるときは［図８］のように肘や肩を捻らないで上げ下げ出来ることにより、肩関節に無理なストレスがかからないので痛めにくい。
（ロ）肩後部を鍛えるときには［図９］のように持ち、上げ下げするので肘も体側よりも前にいき肩も不安定な状態にはならないので痛めにくい。
（ハ）今までのバ−ベル、ダンベルに比べてグリップの位置が重心から離れているので、バランスを取りながら持ち上げる力が必要になる。そのような負荷を、うまくバランスをとりながら上げ下ろしするので、主動筋以外の細かい筋肉を使わないと、うまく挙上出来ない。これにより主動筋の強化にも使えるが、体の深部にある小さな筋肉も効果的に鍛えることが出来るので、スポ−ツにおいて実践的な筋肉が身につく
（ニ）背中を鍛えるときは［図７］のように腰を曲げずに［図１０］のような姿勢で出来るので、腰を痛めることが少ない。またパイプの太さが、通常のバ−ベル、ダンベルの握り部分に比べて太く握りにくくしているので、握力も同時に鍛えることが出来る。
【考案を実施するための最良の形態】
【０００６】以上の構成であるから、肩や腰に余分なストレスをかけないので痛めにくいし、深部筋などを含め、様々な筋肉を利用しながら負荷のバランスをとって上げ下げするので実戦的な筋肉がつく。
【図面の簡単な説明】
【０００７】
【図１】  本考案の斜視図である。
【図２】  本考案を前から見た図である。
【符号の説明】
【０００８】  １、鉄パイプ
２、鎖止め
３、鎖
４、負荷用のバ−ベルプレ−ト
【図１】
0003151787.tif 000003
【図２】
0003151787.tif 000004
【図３】
0003151787.tif 000005
【図４】
0003151787.tif 000006
【図５】
0003151787.tif 000007
【図６】
0003151787.tif 000008
【図７】
0003151787.tif 000009
【図８】
0003151787.tif 000010
【図９】
0003151787.tif 000011
【図１０】
0003151787.tif 000012
【手続補正書】
【提出日】平成21年4月9日(2009.4.9)
【手続補正１】
【補正対象書類名】実用新案登録請求の範囲
【補正対象項目名】全文
【補正方法】変更
【補正の内容】
【実用新案登録請求の範囲】
【請求項１】
鉛直方向の鉄パイプ（１）を斜め上後方に曲げ、さらに水平方向に曲げ、それが左右対象になるように斜め前方に曲げ、さらに鉛直下方向に曲げ下端部に鎖止め（２）を形成し、鎖止めに鎖（３）をつなぎ、その鎖に負荷用のバ−ベルプレ−ト（４）を下げれるようにしたウエイトトレ−ニング用品。
【手続補正２】
【補正対象書類名】明細書
【補正対象項目名】０００７
【補正方法】変更
【補正の内容】
【０００７】
【図１】本考案の斜視図である。
【図２】本考案を前から見た図である。
【図３】人の骨格図である。
【図４】バ−ベルで肩前部を鍛える代表的な種目、フロントプレスの図である。
【図５】バ−ベルで肩後部を鍛える代表的な種目、バックプレスの図である。
【図６】ダンベルで肩を鍛える代表的な種目、ダンベルプレスの図である。
【図７】背中を鍛える代表的な種目、ベントオ−バ−ロ−の図である。
【図８】本考案のトレ−ニング用品を使用して、肩前部を鍛えている図である。
【図９】本考案のトレ−ニング用品を使用して、肩後部を鍛えている図である。
【図１０】本考案のトレ−ニング用品を使用して、背中を鍛えている図である。
(57)【要約】      （修正有）【課題】喉詰まり事故等を防止する、ゼリー状および半固形食品の封入容器を提供する。【解決手段】ゼリー状および半固形食品の封入容器１の内側に、内容物に切れ込み３が形成されるような突出板２状等の突起を設ける。【選択図】図１
0003151782.tif 000002
【実用新案登録請求の範囲】
【請求項１】
喉詰まり事故等の発生防止のために、開封食用時に、内容物に切れ込みが形成される、ゼリー状および半固形食品の封入容器
【請求項２】
喉詰まり事故等の発生防止のために、切れ込みを形成した状態で封入および包装された、ゼリー状および半固形食品
【考案の詳細な説明】
【技術分野】本考案は、ゼリー状および半固形食品の封入容器に関するものである。
【背景技術】ゼリー状および半固形食品は、封入容器に封入された形で製品化されてるものである。
【考案の開示】
【考案が解決しようとする課題】ゼリー状および半固形食品による、喉詰まり事故等防止するものである。
【課題を解決するための手段】ゼリー状および半固形食品の封入容器の内側に、内容物に切れ込みが形成されるような突出板状等の突起を設ける。
【考案の効果】喉詰まり事故等防止するために、安易な小量化や内容物の分割という方法では咀嚼感・食感が害なわれ、またそのことは食した場合、同量の未分割品と比べて小量であるような錯覚を感じるものである。しかし内容物に切れ込みが形成されてるという方法では、咀嚼感・食感が害なわれることもなく、分量的な錯覚を感じることも無く、喉詰まり事故等防止することができる。また、切れ込みが形成されていることで、従来品に比べて内容物の表面積も増大するので、口腔内での食味も増すことになる。
【考案を実施するための最良の形態】ゼリー状および半固形食品の封入容器の内側に、内容物に切れ込みが形成されるような突出板状等の突起を設ける。
【実施例】一例として、ゼリー状および半固形食品の封入容器の内側に、内容物に切れ込みが形成されるような突出板状等の突起を設けて、喉詰まり事故を防止できる蒟蒻ゼリー菓子やダイエット食品。
【産業上の利用可能性】
【００１】菓子やダイエット食品、ペットフードとして製造流通しているゼリー状および半固形食品の食用使用時での安全性が確立されることになる。【００２】喉詰まり事故等防止するために、安易な小量化や内容物の分割という方法で従来品の素晴らしさを害なうことなく、製造が可能である。
【図面の簡単な説明】
【図１】上面図
【図２】側断面図
【図３】切れ込みが形成された内容物の上面図
【符号の説明】１  封入容器
２  突出板
３  切れ込み
【図１】
0003151782.tif 000003
【図２】
0003151782.tif 000004
【図３】
0003151782.tif 000005
【手続補正書】
【提出日】平成21年3月12日(2009.3.12)
【手続補正１】
【補正対象書類名】実用新案登録請求の範囲
【補正対象項目名】全文
【補正方法】変更
【補正の内容】
【実用新案登録請求の範囲】
【請求項１】
喉詰まり事故等の発生防止のために、封入容器の内側に、内容物に切れ込みが形成されるような突出板状の突起を設け、開封食用時に内容物に切れ込みが形成される、ゼリー状食品の封入容器
【請求項２】
喉詰まり事故等の発生防止のために、封入容器の内側に、内容物に切れ込みが形成されるような突出板状の突起を設け、開封食用時に内容物に切れ込みが形成される、半固形食品の封入容器
【請求項３】
喉詰まり事故等の発生防止のために、切れ込みを形成した状態で封入または包装されたゼリー状食品
【請求項４】
喉詰まり事故等の発生防止のために、切れ込みを形成した状態で封入または包装された半固形食品
(57)【要約】      （修正有）【課題】洗顔時に水が手のひらから、手首、肘へと流れ服の袖が濡れてしまうことを防止することができる水引き防止手首用リングを提供する。【解決手段】Ｃ型状リング１にスポンジ２を取り付けて、これを手首に装着することで、手のひらから流れる水をスポンジ２に吸収させ、水が肘へと流れることを防止できるように構成する。【選択図】図１
0003151790.tif 000002
【実用新案登録請求の範囲】
【請求項１】
形状がＣ型状のリングの内側にスポンジを貼り付けたもの。
【考案の詳細な説明】
【考案の詳細な説明】
【技術分野】
【０００１】手首に装着するリングに関するものである
【背景技術】
【０００２】本考案のような、手首に簡単に装着、又は取り外しが出来るものはなかった。
【考案の開示】
【考案が解決しようとする課題】
【０００３】洗顔時に水が手のひらから、手首、肘へと流れ、服の袖がぬれる、本考案はそれを防ぐためのものである
【課題を解決する手段】
【０００４】これを図面１について説明すれば
（イ）Ｃ型状リング▲１▼の内側にスポンジ▲２▼を貼り付ける
【発明の効果】
【０００５】本考案を手首に装着することにより、洗顔時に水が手のひらから、手首、肘へと流れることを防止する事が出来る
【発明を実施する為の最良形態】
【０００６】図面１のＣ型状リング▲１▼にスポンジ▲２▼を取り付ける、
図面２のようにＣ型状リングを手首に装着することにより手のひらから流れた水はスポンジ▲２▼で吸収され水が肘へ流れることを防止する。
【図面の簡単な説明】
【図１】水引き防止手首用リングの斜視図
【図２】水引き防止手首用リングを手首にはめた斜視図
【符号の説明】▲１▼  Ｃ型状リング  ▲２▼  スポンジ
【図１】
0003151790.tif 000003
【図２】
0003151790.tif 000004
【手続補正書】
【提出日】平成21年4月5日(2009.4.5)
【手続補正１】
【補正対象書類名】実用新案登録請求の範囲
【補正対象項目名】全文
【補正方法】変更
【補正の内容】
【実用新案登録請求の範囲】
【請求項１】
形状がＣ型状のリングの内側にスポンジを貼り付けたことを特徴とする水引防止手首用リング。
(57)【要約】      （修正有）【課題】テーブルのふちに、簡単に取り付けられるようにした傘及び杖保持具を提供する。【解決手段】簡単に取り付けられる、バネ内蔵のフック１を備えた傘及び杖の保持具１０によりこの課題を解決する。保持具により、テーブルにもたれかけさせたりひっかけて通行のじゃまになったりすることがなくなる。また使用後はバネにより奥へひっこむために保持具がじゃまになったりひっかけてしまうこともない。【選択図】図６
0003151786.tif 000002
【実用新案登録請求の範囲】
【請求項１】
傘及び杖を保持するフックをテーブルの裏に取り付けて、取り付け用座板との間にバネを設けた傘及び杖の保持具
【請求項２】
傘及び杖の支持具を、厚さの異なる既存のテーブルに容易に設置できるように、厚さを調整できる器具を備えた傘及び杖の保持具
【考案の詳細な説明】
【技術分野】
【０００１】  本考案はレストランや飲食店などのテーブルを利用する際の傘及び杖の置き場所に関する。
【背景技術】
【０００２】  従来、店内などで持ち歩く傘や杖を、テーブルを利用するときに置く場所がなかった。
【考案の開示】
【考案が解決しとうとする課題】
【０００３】  その為にテーブルにもたれかけさせたり、椅子の背にかけたり、ひっかけてたおしたりして通行のじゃまになっていた。
【課題を解決するための手段】
【０００４】  そこで、テーブルのふちに、専門職でなくても簡単に取り付けられるようにした傘及び杖保持具を考案した。（図６）この保持具により傘や杖の置き場所に困らなくなった。
【考案の効果】
【０００５】  よって本考案の傘及び杖保持具により、テーブルにもたれかけさせたりひっかけて通行のじゃまになったりすることがなくなる。また使用後はバネにより奥へひっこむために保持具がじゃまになったりひっかけてしまうこともない。
【考案を実施するための最良の形態】
【０００６】  本考案に係る傘及び杖保持具１０は、図３に示すように傘及び杖を保持するフック１を備えている。通常は図４に示すようにテーブル５の下に収納されて通行のじゃまにならなくなる。使用時はフック１を引っ張り出し傘及び杖をフック１の中に立てかけて手をはなすとそのまま保持される。そして、テーブル５の材質によって保持具の取り付けが困難な場合のために、又、テーブルの厚さが異なる場合にも対応できるように厚さを調整できる器具６，７を備えた傘及び杖保持具も同じ考案である。尚、材質は金属、木材、樹脂での製作ができるが特に樹脂製が安全性が高い。
【図面の簡単な説明】
【０００７】
【図１】  本考案に係る傘及び杖保持具の平面図である。
【図２】  本考案に係る傘及び杖保持具の正面図及び軸部分の断面図である。
【図３】  本考案に係る傘及び杖保持具の底面図である。
【図４】  本考案に係る傘及び杖保持具をテーブルに取り付けた状態の斜視である。
【図５】  本考案に係る傘及び杖保持具を、使用するためにフック１をひっぱりだした状態の斜視図である。
【図６】  本考案に係る傘及び杖保持具を使用している状態の斜視図である。
【図７】  本考案に係る傘及び杖保持具を、厚さ及び材質の異なるテーブルに設置できるように厚さを調整でき、木ネジを使用しないで設置できる傘及び杖保持具の固定用ネジ部分の断面図である。
【図８】  本考案に係る、図７の傘及び杖保持具を設置した状態の斜視図である。
【図９】  本考案に係る図７の傘及び杖保持具を組み合わせるまえの、うしろから見た斜視図である。
【符号の説明】
【０００８】      １  フック
２  フックと組み合わせてテーブルに取り付けるための台座
３  フックのストッパー
４  保持具をテーブルに取り付けるための木ネジ
５  バネ
６  厚さ調整式のテーブルに取り付けるための台座
７  押し上げてテーブルに固定するためのボルト
８  符号７のボルトを支えるナット
９  両面テープ
１０  傘及び杖保持具
２０  テーブル
Ａ  傘
【図１】
0003151786.tif 000003
【図２】
0003151786.tif 000004
【図３】
0003151786.tif 000005
【図４】
0003151786.tif 000006
【図５】
0003151786.tif 000007
【図６】
0003151786.tif 000008
【図７】
0003151786.tif 000009
【図８】
0003151786.tif 000010
【図９】
0003151786.tif 000011
【手続補正書】
【提出日】平成21年4月8日(2009.4.8)
【手続補正１】
【補正対象書類名】実用新案登録請求の範囲
【補正対象項目名】全文
【補正方法】変更
【補正の内容】
【実用新案登録請求の範囲】
【請求項１】
傘及び杖を保持するフックをテーブルの裏に取り付けて、取り付け用座板との間にバネを設けた傘及び杖の保持具。
【請求項２】
テーブルの裏からの取り付けが困難な、石や金属などのテーブル用に、木ネジを使わないで、テーブルの天板をはさんで取り付けられるように、取り付け用座板を断面がコの字型の金物にした請求項１記載の傘及び杖の保持具。
(57)【要約】      （修正有）【課題】正確かつ敏速に施工できるあて板を提供する。【解決手段】鉄筋コンクリートＬ形（ＪＩＳ  Ａ  ５３７２）と同形状のベニヤ板を製作し、そのベニヤ板の中心に新しく設置される下水道用小型桝底部本体と同形の穴を設け、設置に測器が不要になりセットバック設置自在になることを特徴とする。【選択図】図１
0003151784.tif 000002
【実用新案登録請求の範囲】
【請求項１】
下水道用小型桝を設置する際に中心に正確および早く設置ためのあて板である。
【考案の詳細な説明】
【技術分野】
【０００１】  本考案は、下水道用小型桝設置にあたり、あて板を設けた下水道技術に関するものである。
【背景技術】
【０００２】小型桝の設置際に以前は、感とか尺で位置を決定していたが、なかなか中心にセットできずやり直しが多かった。
【考案の開示】
【考案が解決しようとする課題】
【０００３】下水道用小型桝は、道路を掘削するので一日で施工完了しなければなりません。また近隣住民の為にも、正確かつ早く終わる事です。しかし使用材料は重量が重く時間や労力が必要で失敗できません。事前に小型桝を中心に設置できる、あて板を用意し前途の欠点を解決しようとするものである。
【課題を解決するための手段】
【０００４】本考案は、あらかじめ小型桝を中心に設置できるあて板を製作した。あて板は、完成した構造と同等なので失敗することなく正確および早く施工でき問題を解決している。
【考案の効果】
【０００５】以前は施工の際に、感とか尺を使用し時間や労力を要し正確性や時間の無駄を費やしていた。このあて板を使用すればその問題は解決する。また材料は、ベニヤ板等でよいので安価で持ち運びに便利である。
【考案を実施するための最良の形態】
【０００６】道路にあるＬ形と同等の形状寸法に製作してあるので、たとえ既設のＬ形を破砕しても、この板があればＬ形の形状寸法は、この板があればすぐに復元できる。また、Ｌ形を奥にずらして欲しい場合板にずらすだけの距離を明記しておけば希望に沿った距離に設置できる。
【実施例】
【０００７】以下添付図面に従って実施例を説明する。Ｌ形と同じ形状のベニア板を用意して、他の道具を使用しないで同じ位置に小型桝を設置することができる。
【産業上の利用可能性】
【０００８】
【図面の簡単な説明】
【０００９】正方形に丸く穴が開いているのが小型桝底部設置調整板で正確かつ敏速に設置できる。
【図１】本考案の小型桝底部設置調整板の一実施例を示す平面図である。
【符号の説明】
【０００１０】▲１▼小型桝底部設置調整板
【図１】
0003151784.tif 000003
【手続補正書】
【提出日】平成21年4月8日(2009.4.8)
【手続補正１】
【補正対象書類名】実用新案登録請求の範囲
【補正対象項目名】全文
【補正方法】変更
【補正の内容】
【実用新案登録請求の範囲】
【請求項１】
鉄筋コンクリートＬ形（ＪＩＳ  Ａ  ５３７２）と同形状（幅及び長さ）のベニヤ板を製作し、そのベニヤ板の中心に新しく設置される下水道用小型桝底部本体と同形の穴を設け、設置に測器が不要になりセットバック設置自在になるところの特徴とするあて板
(57)【要約】      （修正有）【課題】猫が爪とぎをするとき、とぎ屑を出すことなく、また爪とぎ面が擦り減ることが少ない猫用の爪とぎを提供する。【解決手段】ゴム等で、猫用の爪とぎを作成し、爪とぎ面を小さい網目状に作り、縦に切り込み２を入れて切り込み部分で開閉できるようにする。さらに、爪とぎによって抜けた爪を取り出し易くするため、切り込み２の下部に空洞３を設ける。【選択図】図１
0003151789.tif 000002
【実用新案登録請求の範囲】
【請求項１】
ゴム等で作られた爪とぎの爪とぎ面に切れ込みを入れて開閉するようにする事。
【考案の詳細な説明】
【技術分野】
【０００１】  本発明は、猫の爪とぎで部屋などを汚さない為のものである。
【背景技術】
【０００２】  従来の爪とぎは段ボールや木、麻で作られていて猫が使用するととぎ屑が出て部屋等を汚してしまう。また、爪とぎ面が擦り減っていくので定期的に交換しなくてはいけなかった。
【考案の概要】
【考案が解決しようとする課題】
【０００３】  従来の爪とぎでは猫が爪をとぐと、とぎ屑が出て周囲を汚してしまっていた。また、爪とぎが擦り減っていくので定期的に新しい物に交換しなくてはいけなかった。
【課題を解決するための手段】
【０００４】  爪とぎにゴムを使用し、爪とぎ面を小さい網状に作り縦に切れ込みを入れ開閉させる。
【考案の効果】
【０００５】  猫が爪とぎをすると切れ込み部分が開閉して爪がとげるので、とぎ屑をださずにお部屋などを綺麗に保ちながら長い間使用する事ができる。
【図面の簡単な説明】
【０００６】
【図１】  本発明を上から見た図である。
【図２】  本発明を正面から見た図である。
【考案を実施するための形態】
【０００７】  爪とぎにゴム１を使用し、爪とぎ面を小さい網状に作り縦に切れ込み２を入れる。
その下は空洞３にすると爪とぎによって抜けた爪を取り出しやすくなる。
【符号の説明】
【０００８】  １ゴム
２切れ込み
３空洞
【図１】
0003151789.tif 000003
【図２】
0003151789.tif 000004
【手続補正書】
【提出日】平成21年4月6日(2009.4.6)
【手続補正１】
【補正対象書類名】実用新案登録請求の範囲
【補正対象項目名】全文
【補正方法】変更
【補正の内容】
【実用新案登録請求の範囲】
【請求項１】
ゴム等で作られた爪とぎであって、爪とぎ面に切れ込みを入れて開閉するようにした事を特徴とする、猫用爪とぎ。
(57)【要約】      （修正有）【課題】イカナゴ、イワシなど、小魚を餌にしているタチウオ、アナゴ他、魚を釣るため、餌の魚が自然に泳いでいる状態を保てる天秤式釣り針を提供する。【解決手段】連結部と、該連結部の両端に設けた２つの針と、前記連結部の略中央部に結合され、上端が釣り糸に結合する１つの針とから天秤式釣り針を構成する。【選択図】図１
0003151785.tif 000002
【実用新案登録請求の範囲】
【請求項１】
天秤式釣り針は、連結部と、該連結部の両端に設けた針と、前記連結部の略中央部に結合され、上端が釣糸に結合する、ことを特徴とする天秤式釣針。
【考案の詳細な説明】
【技術分野】
【０００１】  本考案はイカナゴ、イワシなど、小魚を餌にしているタチウオ、アナゴ他、魚を釣るための釣り針に関する。
【背景技術】
【０００２】  例えばタチウオなど釣るときには、１本のハリスの下に普通の針を付けて、イカナゴ、イワシの、目の玉に針を刺していた、二股のときには２本のハリスの下に普通の針を付けてイカナゴ、イワシの、頭部と尾部のところに刺していた、またギャング針をハリスで付けていた。
【考案の開示】
【考案が解決しょうとする課題】
【０００３】  従来のものでは、釣りをしている間に、餌の腹部が曲がり自然の状態を保てなくなり、そのために、魚の食いが悪くなる問題や、餌の腹部が曲がるの、で餌が良くとられる問題があつた。
【課題を解決するための手段】
【０００４】  天秤式釣り針は、連結部と該連結部の両端に設けた針と、前記連結部の略中央部に結合され、上端が釣り糸に結合する。
【考案の実施形態】
【０００５】  本考案の天秤式釣り針は、掛かりをよくするために、針を輪で連結して、テグスと針が直線状態になり、魚が針に掛りやすくしている。
【０００６】  本考案の天秤針式釣り針は、餌が垂れないように、ゴム、ビニールパイプのようなものを通して、餌の垂れを防ぐこともできる。
【実施例】
【０００７】  １号針１と３号針３の略中央部に、２号針２を垂直に結合することで、海中で１号針１と３号針３の針が水平になる。【０００８】  １号針１と３号針３が水平になる為に、餌の魚が自然に泳いでいる状態を保つので、魚の集まりが自然に良くなっている。【０００９】  浮きが沈みだし１メトルから２メトル位沈んだら様子を見てから、竿を少しずつ持ち上げ誘いをかけて合わせると、時間が短縮できて掛かりやすくなり、飲み込みが少なく針が簡単に外せる。【００１０】  魚が引きの悪い場合には、魚が引き出したら糸を１メトル位緩めて、糸が張り、針が回転して穂先に当たりが強く来るまで待ってから引く。【００１１】  投げて引き投げて引き繰り返して誘い、餌を泳がせる事で魚を寄せることができ又投げてから竿を上下に引き誘いを掛けることで魚を多く寄せることができる。【００１２】  この天秤式針はアナゴが針に掛からない場合でも糸がアナゴ自体に自ら巻き付いた状態で上がってくる場合があるので釣れる確率が良くなります。【００１３】  餌を取り付けるには１号針１を目の玉に通して２号針２を伸ばしながら背中の中心部にさし３号針３の針を少し餌の尾部を曲げながら尾部のところに刺します。
【考案の効果】
【００１４】  以上のように，本考案の釣り針では天秤の原理を利用しているために、海中でも自然に泳いでいる状態を保つことができるので、魚の集まりが良く、１号針１と３号針３の輪にサルカンまたはロットの輪を連結し、連結部が自由に動くためにテグスを引くと釣り糸が直線になるために、魚がどの方角から食べても、釣り針に掛かる確率が良くなり、また餌が外れないように１号針１と２号針２と３号針３の針があり、餌が外れにくい、針の連結部が動くために、餌の取り付けが簡単にでき、また釣り針の飲み込みが少ないために、針の取り外しが簡単にできる
【図面の簡単な説明】
【００１５】
【図１】  本考案の第１実施例による釣り針の正面図である。
【図２】  本考案の第１実施例による釣り針の上面図である。
【図３】  本考案の第１実施例による釣り針に餌を取り付けた正面図である。
【符号の説明】
【００１６】１    １号針１                            Ａ  餌本体
２    ２号針２                            Ｂ  餌頭部
３    ３号針３                            Ｃ  餌腹部
４    ロツトと針の結合部                  Ｄ  餌尾部
５    ロツトと針の結合部
６    夜光付ゴム
７    夜光付ゴム
８    ロツト
９    針の輪
１０  釣り糸
【図１】
0003151785.tif 000003
【図２】
0003151785.tif 000004
【図３】
0003151785.tif 000005
【手続補正書】
【提出日】平成21年4月6日(2009.4.6)
【手続補正１】
【補正対象書類名】実用新案登録請求の範囲
【補正対象項目名】全文
【補正方法】変更
【補正の内容】
【実用新案登録請求の範囲】
【請求項１】
連結部と、該連結部の両端に設けた２つの針と、前記連結部の略中央部に結合され、上端が釣り糸に結合する１つの針とから構成したことを特徴とする天秤式釣り針。
(57)【要約】【課題】スリッパの靴面に蛍光材料を添加し、スリッパの靴面を自ら発光させることにより、安価で環境を汚染しない上に、暗い場所でも探し易く、長時間発光させることができる夜光スリッパを提供する。【解決手段】夜光スリッパは、足３を載置する靴板１と、靴板１を配置し、少なくとも１つの蛍光材料が添加された靴面２とを備える。靴面２と靴板１との間には、足３の一部が収納されている。【選択図】図１
0003151716.tif 000002
【実用新案登録請求の範囲】
【請求項１】
足を載置する靴板と、
前記靴板を配置し、少なくとも１つの蛍光材料が添加された靴面と、を備え、
前記靴面と前記靴板との間に、前記足の一部を収納することを特徴とする夜光スリッパ。
【請求項２】
前記靴面は、ビニール、生地、スポンジ、発泡ゴムまたは皮革からなることを特徴とする請求項１に記載の夜光スリッパ。
【請求項３】
前記靴面は、Ｙ字状タイプ、帯タイプ、ベルトタイプまたは板タイプであることを特徴とする請求項１に記載の夜光スリッパ。
【考案の詳細な説明】
【技術分野】
【０００１】
本考案は、夜光スリッパに関し、特に、安価で環境を汚染しない上、暗い場所でも探し易く、長時間発光させることが可能な夜光スリッパに関する。
【背景技術】
【０００２】
履物は、現代社会において誰もが毎日使用する物である。履物には、革靴、運動靴、サンダルなど様々な種類があり、そのなかでも革靴または運動靴は、仕事または運動をする際、屋外でよく履かれる靴であるが、スリッパは、履くのが簡単でリラックスできることから、よく屋内で利用されていた。しかし、従来のスリッパは、それ自体発光することができないため、暗い所で履く際、暗くて見つからなかったり、電気をつけて見つけなければならなかったため、非常に不便であった。また、従来のスリッパには、その表面に蛍光テープを貼ったものがあったが、この蛍光テープは時間が経過するとはがれ易くなった。さらには、付加的に発光する電子部品が加えられたスリッパもあったが、電子部品のコストが高く、環境に悪い影響を与える上、電子部品の発光時間にも限界があった。
【０００３】
そのため、安価で環境を汚染させない上、暗い場所でも探し易く、長時間発光させることが可能なスリッパが求められていた。
【考案の概要】
【考案が解決しようとする課題】
【０００４】
本考案の目的は、スリッパの靴面に蛍光材料を添加し、スリッパの靴面を自ら発光させることにより、安価で環境を汚染しない上に、暗い場所でも探し易く、長時間発光させることができる夜光スリッパを提供することにある。
【課題を解決するための手段】
【０００５】
上記課題を解決するために、本発明の第１の形態によれば、足を載置する靴板と、前記靴板を配置し、少なくとも１つの蛍光材料が添加された靴面と、を備え、前記靴面と前記靴板との間に、前記足の一部を収納することを特徴とする夜光スリッパが提供される。
【０００６】
また、前記靴面は、プラスチック、生地、スポンジ、発泡ゴムまたは皮革からなることが好ましい。
【０００７】
また、前記靴面は、Ｙ字状タイプ、帯タイプ、ベルトタイプまたは板タイプであることが好ましい。
【考案の効果】
【０００８】
本考案の夜光スリッパによれば、安価で環境を汚染しない上に、暗い場所でも探し易く、長時間発光させることができる。
【図面の簡単な説明】
【０００９】
【図１】本考案の一実施形態による夜光スリッパを示す斜視図である。
【図２】本考案の一実施形態による夜光スリッパを示す斜視図である。
【図３】本考案の一実施形態による夜光スリッパを示す斜視図である。
【図４】本考案の一実施形態による夜光スリッパを示す斜視図である。
【図５】本考案の一実施形態による夜光スリッパを示す斜視図である。
【考案を実施するための形態】
【００１０】
以下、本発明の実施形態について図に基づいて説明する。なお、これによって本発明が限定されるものではない。
【００１１】
図１〜図５を参照する。図１〜図５に示すように、本考案の一実施形態による夜光スリッパは、靴板１および靴面２を含む。靴板１は、足３を載置するために用い、靴面２は、靴板１に設けられ、靴面２と靴板１との間には足３の一部を収納することができる。さらに、靴面２には少なくとも１つの蛍光材料が添加されている。
【００１２】
上述の蛍光材料は、靴面２の全面（図１、図３、図４および図５に示す）または少なくとも１つの領域２１（図２に示す）に添加され、靴面２の全面に蛍光材料が添加されると、夜光スリッパの発光面積が大きいため、捜し易くなる。また、靴面２の少なくとも１つの領域２１に発光材料を添加し、各領域２１に同じまたは異なるパターンを形成し、夜光スリッパに変化を与えてもよい。
【００１３】
上述の靴面２は、ビニール、生地、スポンジ、発泡ゴムまたは皮革からなってもよい。
【００１４】
上述の靴面２の形状は、Ｙ字状タイプ（図５に示す）、帯タイプ（図１および図３に示す）、ベルトタイプ（図４に示す）または（足の甲からつま先まで覆う）板タイプ（図２に示す）でもよい。
【００１５】
現在製造されている蛍光材料の発光輝度は５００度以上に達し、自然な光源または人工的な光源で光を１０分間吸収するだけで、暗闇の中で直ちに可視光に変換して１０時間以上発光させることができる。そのため、本実施形態の夜光スリッパは、安価で環境を汚染しない上に、暗い場所でも探し易く、長時間発光させることができる。
【００１６】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【産業上の利用可能性】
【００１７】
本考案は夜光スリッパに関し、特に、安価で環境を汚染しない上、暗い場所でも探し易く、長時間発光させることが可能な夜光スリッパ織物に関した産業全般に有用である。
【符号の説明】
【００１８】
１    靴板
２    靴面
３    足
２１  領域
【図１】
0003151716.tif 000003
【図２】
0003151716.tif 000004
【図３】
0003151716.tif 000005
【図４】
0003151716.tif 000006
【図５】
0003151716.tif 000007
(57)【要約】      （修正有）【課題】通常のメガネ位置でも、おでこ部分に持ち上げた場合でも、メガネのズレ落ちを防ぐことができる、モダン先端部装着上下２カ所固定型メガネストッパーを提供する。【解決手段】同一形状の特殊シリコーンゴム部材を、１本のモダン軸先端に、２個（合計４個）耳に合わせてさし込み、上下２カ所の固定部分（球状固定部３の、おのおのの中心位置が同一垂線にある）をモダン軸にそって、それぞれ角度を操作することにより、固定強度を調整することで、通常のメガネ位置でも、おでこ部分に持ち上げた場合でも、メガネのズレ落ちを防ぐことができる。特に、メガネをはずして近くを見る必要のある老眼の人や、化粧をする時の女性にとって、非常に便利なものになる。また、弾力性の強い、特殊シリコーンゴムを使用することにより、メガネの上げ下げが容易になり、頭皮６にもやさしく、ソフトな肌ざわりのものになる。【選択図】図４
0003151717.tif 000002
【実用新案登録請求の範囲】
【請求項１】
メガネのモダン部の先端部分にはめ込む勘合部をもつモダンさし込み軸と、球状の固定部分と、該モダンさし込み軸部と該球状の固定部分とをつないでいる連結部とで構成され、２つの同一形状のものが向かい合う方向でモダン軸に取り付けられ、取り付けられた時の該球状の固定部分の、おのおのの中心位置が、同一垂線にあることを特徴とするメガネストッパー。
【考案の詳細な説明】
【技術分野】
【０００１】
本考案は、通常のメガネ位置でも、おでこ部分に持ち上げた場合でも、メガネのズレ落ちを防ぐことができる、モダン先端部装着上下２カ所固定型メガネストッパーに関するものである。
【背景技術】
【０００２】
従来のメガネストッパーはモダン軸部分でのズレ落ち防止か、モダン軸下部でのひっかけ型（例えば、特許文献１参照）ズレ落ち防止のもので、通常のメガネ位置のズレ落ち防止を目的としたメガネストッパーだった。
【先行技術文献】
【特許文献】
【０００３】
【特許文献１】特開２００８−２６８８２０号公報
【考案の概要】
【考案が解決しようとする課題】
【０００４】
そのために、以上に述べた従来のメガネストッパーでは、おでこ部分に持ち上げた場合での、メガネのズレ落ちを防ぐことができなかった。本考案はこのような従来の問題点を解決しようとするものであり、おでこ部分に持ち上げた場合でも、メガネのズレ落ちを防ぐことができるメガネストッパーを実現することを目的とするものである。
【課題を解決するための手段】
【０００５】
同一形状の特殊シリコーンゴム部材を、１本のモダン軸先端に、２個（合計４個）耳に合わせてさし込み、上下２カ所の固定部分（球状固定部の、おのおのの中心位置が同一垂線にある）をモダン軸にそって、それぞれ角度を操作することにより、固定強度を調整することで、通常のメガネ位置でも、おでこ部分に持ち上げた場合でも、メガネのズレ落ちを防ぐことができる。
以上の構成からなるモダン先端部装着上下２カ所固定型メガネストッパーである。
【考案の効果】
【０００６】
上述したように、本考案のメガネストッパーは、通常のメガネ位置でも、おでこ部分に持ち上げた場合でも、メガネのズレ落ちを防ぐことができ、特に、メガネをはずして近くを見る必要のある老眼の人や、化粧をする時の女性にとって、非常に便利なものになる。また、弾力性の強い、特殊シリコーンゴムを使用することにより、メガネの上げ下げが容易になり、頭皮にもやさしく、ソフトな肌ざわりのものになる。
【図面の簡単な説明】
【０００７】
【図１】本考案の斜視図
【図２】本考案の正面図
【図３】本考案の側面図
【図４】本考案の使用（原理）説明図
【考案を実施するための形態】
【０００８】
以下、本考案の実施の形態を図１〜図４に基づいて、説明する。
（イ）モダン軸先端にさし込む１のモダンさし込み軸部に３の球状固定部（６φ）を２の連結部で一体化した形状である。
（ロ）材質は特殊シリコーンゴムである。
本考案は、以上の構成からなるモダン先端部装着上下２カ所固定型メガネストッパーである。
【実施例】
【０００９】
以下、使用法について、図１〜図４に基づいて、説明する。
特殊シリコーンゴム部材図１を、１本のモダン軸先端に、２個（合計４個）耳に合わせてさし込み図２、図３、上下２カ所の固定部分（球状固定部の、おのおのの中心位置が同一垂線にある）をモダン軸にそって、それぞれ角度を操作することにより、固定強度を調整することで図４、通常のメガネ位置でも、おでこ部分に持ち上げた場合でも、メガネのズレ落ちを防ぐことができる。本実施例では、６φの球状固定部としたが、手頃な大きさ、例えば４〜８φでも良い。
【産業上の利用可能性】
【００１０】
特に、メガネをはずして近くを見る必要のある老眼の人や、化粧をする時の女性にとって、非常に便利なものになる。また、弾力性の強い、特殊シリコーンゴムを使用することにより、メガネの上げ下げが容易になり、頭皮にもやさしく、ソフトな肌ざわりのものになる。
【符号の説明】
【００１１】
１  モダンさし込み軸部
２  連結部
３  球状固定部（６φ）
４  モダン軸
５  耳
６  頭皮
【図１】
0003151717.tif 000003
【図２】
0003151717.tif 000004
【図３】
0003151717.tif 000005
【図４】
0003151717.tif 000006
(57)【要約】      （修正有）【課題】全方向に光りを照射可能とすることで、集魚性を高め、かつ電池の耐久性も高めた水中ライトのライトセットを提供する。【解決手段】夜の漁にて使用する水中ライトに、その暗闇の海中にてより明るく且つ長時間に渡り効果的に周囲を照明するため、ＬＥＤライトセット６に凹円錐型レンズを用いるＬＥＤ７を使用し、当該ライトセット６のプリント基板８に複数個ＬＥＤを使用し、使用電池の耐久性を保つ為に光センサー１８を設けることによって周囲が暗くなってからＬＥＤが点滅する仕組みとする事で、水中ライトのライトセットを構成する。【選択図】図４
0003151771.tif 000002
【実用新案登録請求の範囲】
【請求項１】
夜の漁にて使用する水中ライト１に、その暗闇の海中にてより明るく且つ長時間渡り効果的に周囲を照明するため、本考案のＬＥＤライトセット６に凹円錐型レンズ１０を用いるＬＥＤ７を使用することと、当該ライトセット６のプリント基板８の限界までＬＥＤ複数個を使用可能な設計と、使用電池の耐久性を保つ為に光センサー１８を設けることによって周囲が暗くなってからしかＬＥＤが点滅しない仕組みからなることとを特徴とする水中ライトのライトセット。
【考案の詳細な説明】
【考案の詳細な説明】
【考案が解決しようとする課題】
【０００１】    従来の水中ライト１には、図２で示す従来ライトセット２を用いるため、図３にて示すように該当ライトセット２の光が前方にしか照らさない、且つ照らす面積が狭く、暗闇の海中で前方以外の方向にいる魚の注意を引いたり、又は誘ったりすることが難しく、せっかく高額の燃費と時間と体力を費やした漁なのに収穫が悪い。また、この従来のライトセット２は一度電源を入れると手動で切らなければずっと電滅し続けるので電池消耗が制御できず速い場合には毎日電池の交換をする必要とし、とっても面倒、且つ効率性も経済性も環境性も悪い。
【考案が解決するための手段】
【０００２】    そこで、図４で示す本考案ＬＥＤライトセット６のように凹円錐型ＬＥＤ７を用いることによって、図５で示すように暗闇の海中にて凹円錐型ＬＥＤ７の照らす方向は前方と横方向の全方向に分散して照らすため、ほぼ全方向にいる全ての魚の注意を誘って呼び寄せることが可能になり、集魚性を高めた。また、光センサー１８を設けることによって、周囲が暗くなってからはじめてＬＥＤが稼動するため、電池耐久性が長くなり、作業性も経済性も高めた。
【実施例】
【０００３】    本考案に係るＬＥＤライトセット６は、図４で示すように、暗闇の海中にて水中ライトがよりよく周囲を照明し沢山の魚の注意を誘うために、本考案のＬＥＤライトセット６のプリント基板８に図６で示す凹円錐型レンズ１０を用いる凹円錐型ＬＥＤ７を備えている。そして、図７のように可能に応じて凹円錐型ＬＥＤ７複数個を設置する。また、電池の耐久性を長く保たせ、よりよい作業性と経済性と環境性とを得るために、当該プリント基板８に光センサー１８を設け、暗い時にしか稼動しないＬＥＤライトセット６が形成される。
【考案の効果】
【０００４】    本考案のＬＥＤライトセット６に凹円錐型ＬＥＤ７を用いることによってＬＥＤの照明方向は暗闇の水中にてより明るくなり、且つ全方向に照らすことが可能になり、たくさんの魚を集魚することが可能になった。また、更に当該ライトセット６に光センサー１８を設けることによって電池の耐久性が長くなり、電池の交換頻度が減り、漁の作業性も経済性も環境性も改善され、漁果が良くなった。
【図面の簡単な説明】
【図１】水中ライト１を示す図
【図２】ＬＥＤ３を用いる従来ライトセット１を示す図
【図３】従来ＬＥＤ３の照らす方向を示す図
【図４】本考案の新型ＬＥＤライトセット６を示す図
【図５】ＬＥＤ７の光の照らす方向を示す図
【図６】凹円錐型ＬＥＤ７の詳細を説明する図
【図７】本考案の複数個のＬＥＤ装着ライトセットを示す平面図
【図８】図７の側面図を示す図
【符号の説明】
１  水中ライト
２  従来ＬＥＤライトセット
３  従来ＬＥＤ
４  従来ライトセットプリント基板
５  従来ＬＥＤ３の照らす方向
６  本考案ＬＥＤライトセット
７  凹円錐型ＬＥＤ
８  新型ＬＥＤライトセットのプリント基板
９  凹円錐型ＬＥＤ７の照らす方向
１０凹円錐型レンズ
１１ＬＥＤデバイス
１２デバイス装着アイランド
１３透明ハウジング
１４導電金ワイヤ
１５導電リード
１６ボタン電池
１７ＯＮ／ＯＦＦスイッチ
１８光センサー
【図１】
0003151771.tif 000003
【図２】
0003151771.tif 000004
【図３】
0003151771.tif 000005
【図４】
0003151771.tif 000006
【図５】
0003151771.tif 000007
【図６】
0003151771.tif 000008
【図７】
0003151771.tif 000009
【図８】
0003151771.tif 000010
【手続補正書】
【提出日】平成21年4月8日(2009.4.8)
【手続補正１】
【補正対象書類名】実用新案登録請求の範囲
【補正対象項目名】全文
【補正方法】変更
【補正の内容】
【実用新案登録請求の範囲】
【請求項１】
夜の漁にて使用する水中ライト１に、その暗闇の海中にてより明るく且つ長時間渡り効果的に周囲を照明するため、本考案のＬＥＤライトセット６に凹円錐型レンズ１０を用いるＬＥＤ７を使用することと、当該ライトセット６のプリント基板８に複数個ＬＥＤを有することと、使用電池の耐久性を保つ為に光センサー１８を設けることによって周囲が暗くなってからＬＥＤが点滅する仕組みからなることとを特徴とする水中ライトのライトセット。
(57)【要約】      （修正有）【課題】携帯箸を組み立てる時連結嵌合が簡単で、箸の収納部がきれいに洗えて衛生的であり、携帯時に箸箱がいらないコンパクトな携帯箸を提供する。【解決手段】箸本体が分割可能な棒部材１とＵ字形部材２とを備え、使用時に連結嵌合部で連結された箸本体の一対で一膳の箸として使用される箸本体である。連結嵌合は、棒部材１の基端部１０にピン３を設け、Ｕ字形部材２の基端部１１に切込み４，５を形成し、切込み４，５にピン３を嵌め込むことにより連結嵌合する。携帯時はＵ字形部材の内側に棒部材１を収納し一対の箸の本体にキャップ６を装着する、この時Ｕ字形部材の外周が箸箱を兼用することにより専用の箸箱は不要である。またＵ字形部材の内側はＵ字形開口部から洗うことができ衛生的であることを特徴としている。【選択図】図１
0003151779.tif 000002
【実用新案登録請求の範囲】
【請求項１】
箸本体が分割可能な棒部材とＵ字形部材とを備え、使用時に連結嵌合部で連結された箸本体の一対で一膳の箸として使用される箸本体である。連結嵌合は、棒部材の基端部にピンを設け、Ｕ字形部材の基端部に切込みを形成し、切込みにピンを嵌め込むことにより連結嵌合する。携帯時はＵ字形部材の内側に棒部材を収納し一対の箸本体に装着可能なキャップとからなる携帯可能な箸である。Ｕ字形部材の外周は箸箱を兼用し専用の箸は不要である。また棒部材を収納するＵ字形部材の内側はＵ字形の開口部より簡単に洗えて清潔的な箸である。
【考案の詳細な説明】
【技術分野】
【０００１】  本考案は、箸に関する。
【背景技術】
【０００２】  箸を継足す時の連結嵌合がネジ構造であることから箸を使用時にネジがゆるむことがあり使いにくい欠点がある（例えば、特許文献１参照）。【０００３】  携帯時棒部材を円筒部材の中に収納する方式において円筒部材の内側をきれいに洗えない欠点がある（例えば、特許文献１参照）。【０００４】  携帯時箸を持ち運びするための箸箱が必要となる欠点がある（例えば、特許文献１参照）。
【特許文献１】実用新案登録第３１０４６３９号
【考案が解決しようとする課題】
【０００５】  箸を組立てる時の連結嵌合が簡単で、箸の収納部がきれいに洗えて衛生的であり、携帯時に専用の箸箱がいらないコンパクトな携帯箸を目的とする。
【課題を解決するための手段】
【０００６】  本考案は前記の課題を解決するために、以下の構成を採用した。
【０００７】  箸本体が分割可能な棒部材とＵ字形部材とを備えた。
【０００８】  連結嵌合部は棒部材の基端部にピンを設け、Ｕ字形部材の基端部に切欠きを形成し、切込みにピンを嵌め込むことにより連結嵌合する。
【０００９】  携帯時Ｕ字形部材の内側に棒部材を収納し一対の箸本体に装着可能なキャップを設け、またＵ字形部材の外周が箸箱を兼用する構造である。
【００１０】  携帯時Ｕ字形部材の内側に棒部材を収納するため、Ｕ字形部材の内側をきれいにしなければならない、そこでＵ字形部材の内側はＵ字形開口部から簡単に洗うことができる。
【作用】
【００１１】  箸を使う時は棒部材とＵ字形部材が長手方向になるようにして、棒部材のピンをＵ字形部材の切込に嵌め込み、連結嵌合する。
【００１２】  箸を使わない時は棒部材をＵ字形部材内側に収納するようにしながら棒部材のピンをＵ字形部材の切込みにピンを嵌め込み、連結嵌合する。
【００１３】  携帯時字は棒部材がＵ字形部材に収納された状態で、Ｕ字形部材の開口部側を抱き合わせ一対の箸にしてキャップを装着する。
【効果】
【００１４】  上記構成によると棒部材とＵ字形部材の連結嵌合がワンタッチででき、きれいに洗える構造となっており、また専用の箸箱がいらないコンパクトな携帯箸である。
【考案を実施するための最良の形態】
【００１５】  本考案に係る携帯箸の実施形態を、図面に基づいて説明する。【００１６】  図１は箸を使用している状態の図である。箸本体が分割可能な棒部材１とＵ字形部材２を備え、携帯時コンパクトになる。【００１７】  連結嵌合は棒部材の基端部１０にピン３を設け、Ｕ字形部材の基端部１１に切欠き４，５を成形し、切込み４にピン３を嵌め込み切込み５にピン３をスライドすることにより連結嵌合ができる。【００１８】  図２は箸を携帯状態にした図である。（ａ）図は携帯組み込み前の状態を示している。【００１９】  携帯する時、棒部材１はＵ字形部材２の内側に収納され、また棒部材１とＵ字形部材２とは棒部材１に設けてあるピン３とＵ字形部材２の切欠き４，５にて連結嵌合する。【００２０】  携帯状態にする時は棒部材１がＵ字形部材２に収納した一対の箸をＵ字形の開口部側１４に抱き合わせてキャップ６を装着する。【００２１】  箸の使用時には図１で示すように、キャップ６は箸置きとして使用することができる。【００２２】  （ｂ）図は携帯状態でＵ字形部材２の外周１３が箸箱を兼用している。よって箸箱がいらないコンパクトな携帯箸である。【００２３】  図３は携帯箸の構造を示したものである。棒部材１の基端部１０にピン３を設け、Ｕ字形部材２の基端部１１には切欠き４，５が成形している。連結嵌合は切込４にピン３を嵌め込み５にスライドすることにより連結嵌合ができる。【００２４】    箸を使わないときは棒部材１がＵ字形部材の内側１２に収納するため、Ｕ字形部材２の内側を清潔にしなければならない、本考案はＵ字形になっていることからＵ字形開口部よりＵ字形部材の内側１２を容易に洗うことができ衛生的な携帯用箸である。
【産業上の利用可能性】
【００２５】  割り箸は森林の伐採として地球環境に害を与える問題を抱え、ここにこの問題を対処すべくマイ箸が注目されている。そこでマイ箸を普及させるためには手軽で便利なそして清潔的な携帯箸が要求され、ここに本考案を提供する。
【図面の簡単な説明】
【００２６】
【図１】箸の使用状態
【図２】（ａ）携帯組み込み前  （ｂ）携帯状態
【図３】携帯箸の構造
【符号の説明】
【００２７】  １  棒部材
２  Ｕ字形部材
３  ピン
４  切欠き
５  切欠き
６  キャップ
１０  棒部材基端部
１１  Ｕ字形部基端部
１２  Ｕ字形部材の内側
１３  Ｕ字形部材の外周
１４  Ｕ字形部材の開口部
【図１】
0003151779.tif 000003
【図２】
0003151779.tif 000004
【図３】
0003151779.tif 000005
【手続補正書】
【提出日】平成21年4月10日(2009.4.10)
【手続補正１】
【補正対象書類名】実用新案登録請求の範囲
【補正対象項目名】全文
【補正方法】変更
【補正の内容】
【実用新案登録請求の範囲】
【請求項１】
箸本体が分割可能な棒部材とＵ字形部材とを備え、使用時に連結勘合部で連結された箸本体の一対で一膳の箸として使用される箸本体において、連結勘合部は棒部材の基端部にピンを設けＵ字形部材の基端部に切込みを形成し切込みにピンを嵌め込むことにより連結勘合する、携帯時はＵ字形部材の内側に棒部材を収納し一対の箸装着可能なキャップとからなる携帯可能な箸、Ｕ字形部材の外周は箸箱を兼用し専用の箸箱は不要であり、棒部材を収納するＵ字形部材の内側はＵ字形の開口部より簡単に洗えて清潔的な携帯箸。